(57)【要約】【課題】モード切替の確認が容易な通信装置を提供する。【解決手段】自発光又はバックライト付きの表示部の異なる部分に、コピーモード表示部７ａと、ファックスモード表示部７ｂとを設け、操作部８のファックスキー８ｂが押されたか否か判定し（ステップＳＴ１）、押されていると、ファックスモード表示部７ｂのバックライトを点灯し、コピーモード表示部７ａのバックライトを消灯する（ステップＳＴ２）。ファックスキー８ｂが押されていないと、次にコピーキー８ａが押されたか否か判定し（ステップＳＴ３）、押されていると、コピーモード表示部７ａのバックライトを点灯し、ファックスモード表示部７ｂのバックライトを消灯する（ステップＳＴ４）。【選択図】　　　図６
2004032005.tif 000002
【特許請求の範囲】
【請求項１】
自発光又はバックライト付きの表示部を備え、複数の動作モードを備え、モード毎に使用する表示部が異なり、選択されたモードに対応する表示部分の発光又はバックライトを点灯することを特徴とする通信装置。
【請求項２】
前記モードは、ファックスモード又はコピーモードであることを特徴とする請求項１記載の通信装置。
【発明の詳細な説明】
【０００１】
【発明の属する技術分野】
この発明は、ファックスモード、コピーモード等の複数の動作モードを有する複合機等の通信装置に関する。
【０００２】
【従来の技術】
近年、ファクシミリ装置は、ファックスモード、コピーモード等の複数の動作モードを持つ複合機が普及している。この種の複合機において、モードをキー操作により選択すると、その選択されたモードボタンを表示するようにしている。
【０００３】
【発明が解決しようとする課題】
上記した複合機において、モード選択すると、選択のため操作したモードボタンが表示される。しかし、このモードボタンは通常小さいため、表示を確認するのに手間取り、使いにくいという問題があった。
【０００４】
この発明は上記問題点に着目してなされたものであって、モード切替の確認が容易な通信装置を提供することを目的としている。
【０００５】
【課題を解決するための手段】
この発明の通信装置は、自発光又はバックライト付きの表示部を備え、複数の動作モードを備え、モード毎に使用する表示部が異なり、選択されたモードに対応する表示部分の発光又はバックライトを点灯する。
【０００６】
この通信装置では、例えばファックスモード、あるいはコピーモードが選択されると、選択されたモードに応じて異なる表示部分が発光あるいはバックライトが点灯する。そのため、どの表示部分が発生し、あるいは点灯しているかを目視することにより、直ちにどのモードが選択されているかを確認することができる。
【０００７】
【発明の実施の形態】
以下、実施の形態により、この発明をさらに詳細に説明する。図１は、この発明の一実施形態である複合機（ファクシミリ装置）の構成を示すブロック図である。この複合機１５は、ＮＣＵ１と、モデム２と、画像メモリ３と、ＲＡＭ４と、ＲＯＭ５と、主制御部（ＣＰＵ）６と、表示部７と、操作部８と、読み取り部９と、記録部１０と、ＬＡＮインターフェース１１とを備えている。
【０００８】
ＮＣＵ１は、電話回線１３との接続を制御するとともに、相手先の電話番号（対応したダイヤル信号）の送出及び着信を検出するための機能を備えている。モデム２は、ＩＴＵ−Ｔ勧告Ｔ．３０に従ったファクシミリ伝送制御手順に基づいて、Ｖ．１７、Ｖ．２７ｔｅｒ、Ｖ．２９等に従った送受信データの変調及び復調を行う。また、モデム２は、ナンバーディスプレイ情報を受信するためにＶ２３の復調機能も備えている。画像メモリ３は、受信画像データや読み取り部９で読み取った原稿画像データを一時的に記憶する。ＲＡＭ４は、処理すべきデータを一時的に記憶する。ＲＯＭ５は、ファクシミリ装置全体を制御するためのプログラムを記憶する。
【０００９】
主制御部６は、ＣＰＵで構成され、ＲＯＭ５に記憶されたプログラムに従い、ファクシミリ装置を構成する各部を制御する。表示部７は、ファクシミリ装置の動作状態等の各種情報を表示する。この表示部７はバックライト付きの液晶表示器が使用されている。表示部７は、選択されたモードに応じ、異なる表示部分のバックライトが点灯するようになっている。異なる表示部分として、例えばコピーモード表示部７ａ、ファックスモード表示部７ｂを有する。操作部８は、テンキー、スタートキー、その他のキーで構成される。この操作部８は、コピーキー８ａ、ファックスキー８ｂ、更にこの操作部８でコピーモードを選択するために、コピーキー８ａが操作される。コピーキー８ａが操作されると、表示部７のコピーモード表示部７ａが点灯する。また、操作部８でファックスモードを選択するために、ファックスキー８ｂが操作される。ファックスキー８ｂが操作されると、表示部７のファックス表示部７ｂが点灯する。読み取り部９は、原稿上の画像データを読み取って、白黒２値のイメージデータを出力する。記録部１０は、電子写真式のプリンタよりなり、受信画像データやコピー動作において読み取り部９で読み取った原稿の画像データを記録紙上に記録する。ＬＡＮインターフェース１１は、ＬＡＮネットワーク１４を介して外部のパソコン等に接続される。また、インターネットを介して、電子メールを送受信し得る。
【００１０】
表示部７のコピーモード表示部７ａと、ファックスモード表示部７ｂは、それぞれ互いに異なる表示部分が割り当てられておれば良く、例えば図２に、ファックスモード表示部７ｂの回りにコピーモード表示部７ａが配置された例を示しているす。また、図３に示すように、上下に分かれて配置するようにしても良いし、図４に示すように、左右に分かれて配置するようにしても良い。更に、図５に示すように、左右上下、非対称に配置しても良い。図２、図５の場合、コピーモードの表示は、ファックスモード表示部７ｂを含む全面を表示（点灯）しても良い。
【００１１】
次に、図６に示すフロー図を参照して、この実施形態複合機のモード切替処理を説明する。この実施形態複合機の処理が、モード切替処理ルーチンに入ると、先ず、ステップＳＴ１において、ファックスモード選択か否か判定する。この判定は、使用者が操作部８のファックスキー８ｂを押したか否かにより行う。ファックスキー８ｂが選択操作されていると、ステップＳＴ２へ移行する。一方、ファックスキー８ｂが選択操作されていないと、ステップＳＴ３へ移行する。
【００１２】
ステップＳＴ２においては、表示部７のファックスモード表示部７ｂのバックライトを点灯し、他のモード（コピーモード表示部７ａ）のバックライトを消灯する。そして、リターンする。
【００１３】
ステップＳＴ３においては、コピーモード選択か否か判定する。この判定は、オペアンプが操作部８のコピーキー８ａを押したか否かに基づいて行う。コピーキー８ａが選択操作されていると、ステップＳＴ４へ移行する。一方、コピーキー８ａが選択操作されていないと、リターンする。
【００１４】
ステップＳＴ４においては、表示部７のコピーモード表示部７ａのバックライトを点灯し、他のモード（ファックスモード表示部７ｂ）のバックライトを消灯する。そして、リターンする。
【００１５】
なお、上記実施形態では、ファックスモードとコピーモードのいずれかが選択される場合について説明したが、もちろん、この発明はこの２つに限ることなく、更に多くの動作モードを持つ通信装置にも適用できる。
【００１６】
また、上記実施形態では、表示部としてバックライト付きの液晶表示器を使用しているが、自身が発光する表示器を用いても良い。
【００１７】
【発明の効果】
この発明によれば、自発光又はバックライト付きの表示部を備え、複数の動作モードを備え、モード毎に使用する表示部が異なり、選択されたモードに対応する表示部分の発光又はバックライトを点灯するので、いずれの動作モードが選択されたか直ちに確認することができる。
【図面の簡単な説明】
【図１】この発明の一実施形態である複合機の構成を示すブロック図である。
【図２】同実施形態複合機の表示部のファックスモード表示部とコピーモード表示部の配置の一例を示す図である。
【図３】同実施形態複合機の表示部のファックスモード表示部とコピーモード表示部の配置の他の例を示す図である。
【図４】同実施形態複合機の表示部のファックスモード表示部とコピーモード表示部の配置の他の例を示す図である。
【図５】同実施形態複合機の表示部のファックスモード表示部とコピーモード表示部の配置の他の例を示す図である。
【図６】同実施形態複合機のモード切替処理を説明するフロー図である。
【符号の説明】
１　　　　　ＮＣＵ
２　　　　　モデム
３　　　　　画像メモリ
４　　　　　ＲＡＭ
５　　　　　ＲＯＭ
６　　　　　主制御部
７　　　　　表示部
７ａ　　　　コピーモード表示部
７ｂ　　　　ファックスモード表示部
８　　　　　操作部
８ａ　　　　コピーキー
８ｂ　　　　ファックスキー
９　　　　　読み取り部
１０　　　　記録部
１１　　　　ＬＡＮインターフェース
１２　　　　バス
１３　　　　電話回線
１４　　　　ＬＡＮ
【図１】
2004032005.tif 000003
【図２】
2004032005.tif 000004
【図３】
2004032005.tif 000005
【図４】
2004032005.tif 000006
【図５】
2004032005.tif 000007
【図６】
2004032005.tif 000008